(57)【特許請求の範囲】
【請求項１】
光ピックアップを搭載した光ピックアップユニットと、この光ピックアップユニットに設けられたラックと、前記光ピックアップユニットを搬送する動力源であるモータと、前記モータの動力を受けて駆動される駆動歯車と、この駆動歯車と前記ラックとを連結する中間歯車とを有して構成され、かつ前記中間歯車が、ピッチ円径の異なる大主歯車および小主歯車と、前記大主歯車および小主歯車に対して分離して回転しかつ互いに一体に回転する、前記大主歯車および前記小主歯車と同一のピッチ円径およびモジュールをそれぞれもつ大補助歯車および小補助歯車と、前記大主歯車および小主歯車に対して前記大補助歯車および小補助歯車を円周方向に付勢する付勢部材とを有して構成され、前記ラックに前記小主歯車と前記小補助歯車が噛み合わされ、前記駆動歯車に前記大主歯車と前記大補助歯車が噛み合わされ、前記大主歯車の歯と前記大補助歯車の歯とが一致するとき、前記小主歯車の歯よりも前記小補助歯車の歯のほうが前記ラックの歯に近い位置にくるように前記中間歯車が構成されていることを特徴とするディスク再生装置。
【請求項２】
請求項１記載のディスク再生装置において、前記小主歯車および前記小補助歯車の歯のモジュールを前記大主歯車および前記大補助歯車の歯のモジュールと同一または前者のモジュールをより小さく構成したことを特徴とするディスク再生装置。
【請求項３】
第１の歯車と、第２の歯車と、これら第１の歯車と第２の歯車とを連結する第３の歯車とから少なくとも構成された歯車列装置において、前記第３の歯車が、ピッチ円径の異なる大主歯車および小主歯車と、前記大主歯車および小主歯車に対して分離して回転しかつ互いに一体に回転する、前記大主歯車および前記小主歯車と同一のピッチ円径およびモジュールをそれぞれもつ大補助歯車および小補助歯車と、前記大主歯車および小主歯車に対して前記大補助歯車および小補助歯車を円周方向に付勢する付勢部材とを有して構成され、前記第１の歯車に前記小主歯車と前記小補助歯車が噛み合わされ、前記第２の歯車に前記大主歯車と前記大補助歯車が噛み合わされ、前記大主歯車の歯と前記大補助歯車の歯とが一致するとき、前記小主歯車の歯よりも前記小補助歯車の歯のほうが前記ラックの歯に近い位置にくるように前記中間歯車が構成されていることを特徴とする歯車列装置。
【請求項４】
請求項３記載の歯車列装置において、前記小主歯車および前記小補助歯車の歯のモジュールを前記大主歯車および前記大補助歯車の歯のモジュールと同一または前者のモジュールをより小さく構成したことを特徴とする歯車列装置。
【発明の詳細な説明】
【０００１】
【発明の属する技術分野】
本発明は、例えばＣＤ−ＲＯＭ、ＤＶＤなどの光ディスクの再生を行うディスク再生装置および歯車列装置に関する。
【０００２】
【従来の技術】
近年、ＣＤ−ＲＯＭドライブのメカニカル部分の構造は次のようになっている。  図５および図６にＣＤ−ＲＯＭドライブのメカ部の構成を示す。これらの図に示すように、ＣＤ−ＲＯＭドライブのメカ部は、ディスクを駆動するディスクモータ１２１、ターンテーブル１０７等からなるディスク駆動機構と、光ディスクから信号を読み取る光ピックアップを搭載した光ピックアップユニット１２２と、この光ピックアップユニット１２２をディスク駆動機構に搭載された光ディスクの半径方向に送るピックアップ送り機構１２４等から構成される。
【０００３】
ピックアップ送り機構１２４には次のような歯車列装置が用いられている。この歯車列装置は、光ピックアップユニット１２２にネジ止めされたラック１３１と、フィードモータ１３２の駆動軸１３３に固定された駆動平歯車１３４と、この駆動平歯車１３４とラック１３１とを連結する中間歯車１３５からなる。
【０００４】
中間歯車１３５は、ピッチ円径の異なる二つの平歯車１３６、１３７を有する。これらの平歯車のうち大径側の歯車（以下、大歯車と呼ぶ。）１３６は駆動平歯車１３４と噛み合わされ、小径側の歯車（以下、小歯車と呼ぶ。）１３７は光ピックアップユニット１２２にネジ止めされたラック１３１と噛み合わされている。したがって、フィードモータ１３２の動力は、駆動平歯車１３４、中間歯車１３５の大歯車１３６、同じく小歯車１３７、ラック１３１の順に伝達され、光ピックアップユニット１２２の搬送力となって作用する。
【０００５】
ＣＤ−ＲＯＭドライブでは、読み取り性能の向上のため、各歯車間の噛み合い部のバックラッシュを除去する構造が採り入れられている。図示のＣＤ−ＲＯＭドライブでは、ラック１３１と小歯車１３７との間のバックラッシュ除去のため、ラック１３１に補助歯車１３９と圧縮バネ１４０を設け、ラック１３１と補助歯車１３９との間の圧縮バネ１４０のバネ力で小歯車１３７を挟持するとともに、駆動平歯車１３４と大歯車１３６間のバックラッシュ除去のため、中間歯車１３５に補助歯車１３８と圧縮バネ１４２を設け、大歯車１３６と補助歯車１３８との間の圧縮バネ１４２のバネ力で駆動平歯車１３４を挟持するといった構造を用いている。
【０００６】
【発明が解決しようとする課題】
しかしながら、かかる従来の歯車列装置では、ラック／小歯車間、駆動平歯車／大歯車間のそれぞれの箇所に補助歯車と圧縮バネを配設する必要があり、このことが設計上の制限を増大させ、小型化、低コスト化へ向けての改良が困難になるという問題をきたしていた。
【０００７】
本発明はこのような課題を解決するためのもので、より少ない部品点数で、中間歯車とこれに噛み合う二つの歯車とのバックラッシュを除去することのできる歯車列装置の提供を目的とする。
【０００８】
また、本発明は、メカ部品の数が少ない、より安価なディスク再生装置の提供を目的としている。
【０００９】
【課題を解決するための手段】
上記目的を達成するために、本発明のディスク再生装置は、光ピックアップを搭載した光ピックアップユニットと、この光ピックアップユニットに設けられたラックと、前記光ピックアップユニットを搬送する動力源であるモータと、前記モータの動力を受けて駆動される駆動歯車と、この駆動歯車と前記ラックとを連結する中間歯車とを有して構成され、かつ前記中間歯車が、ピッチ円径の異なる大主歯車および小主歯車と、前記大主歯車および小主歯車に対して分離して回転しかつ互いに一体に回転する、前記大主歯車および前記小主歯車と同一のピッチ円径およびモジュールをそれぞれもつ大補助歯車および小補助歯車と、前記大主歯車および小主歯車に対して前記大補助歯車および小補助歯車を円周方向に付勢する付勢部材とを有して構成され、前記ラックに前記小主歯車と前記小補助歯車が噛み合わされ、前記駆動歯車に前記大主歯車と前記大補助歯車が噛み合わされ、前記大主歯車の歯と前記大補助歯車の歯とが一致するとき、前記小主歯車の歯よりも前記小補助歯車の歯のほうが前記ラックの歯に近い位置にくるように前記中間歯車が構成されていることを特徴とするものである。
【００１０】
本発明のディスク再生装置では、付勢手段の付勢力によって、大主歯車の歯と大補助歯車の歯とで駆動歯車の歯が挟持されるか、もしくは、小主歯車の歯と小補助歯車の歯とによってラックの歯が挟持されることによって、中間歯車と駆動歯車とのバックラッシュと、中間歯車とラックとのバックラッシュをともに除去あるいは減少させることができる。本発明によれば、付勢手段が一つで済み、部品点数の削減を図ることができる。これにより、設計の自由度が増して、小型で安価な製品の実現化に寄与することができる。加えて、中間歯車を構成する各歯車間のガタや、各歯車の取り付けピッチの違いなどにより小歯車側のバックラッシュ除去機能が働くなることを防止できる。
【００１２】
さらに、小歯車側の歯のモジュールを大歯車側に対して同一あるいは小さくすることにより、中間歯車の組み込みの際、歯の位相が一致する位置までの大歯車側の歯の位相ずれの量を小さくすることができるため、組立作業を容易にすることができる。
【００１３】
また、本発明の歯車列装置は、第１の歯車と、第２の歯車と、これら第１の歯車と第２の歯車とを連結する第３の歯車とから少なくとも構成された歯車列装置において、前記第３の歯車が、ピッチ円径の異なる大主歯車および小主歯車と、前記大主歯車および小主歯車に対して分離して回転しかつ互いに一体に回転する、前記大主歯車および前記小主歯車と同一のピッチ円径およびモジュールをそれぞれもつ大補助歯車および小補助歯車と、前記大主歯車および小主歯車に対して前記大補助歯車および小補助歯車を円周方向に付勢する付勢部材とを有して構成され、前記第１の歯車に前記小主歯車と前記小補助歯車が噛み合わされ、前記第２の歯車に前記大主歯車と前記大補助歯車が噛み合わされ、前記大主歯車の歯と前記大補助歯車の歯とが一致するとき、前記小主歯車の歯よりも前記小補助歯車の歯のほうが前記ラックの歯に近い位置にくるように前記中間歯車が構成されていることを特徴とする。
【００１４】
【発明の実施の形態】
以下、本発明を実施する場合の形態について図面に基づき説明する。
【００１５】
図１および図２に、本発明を適用したＣＤ−ＲＯＭドライブのメカ部の構成を示す。これらの図に示すように、ＣＤ−ＲＯＭドライブのメカ部は、ディスクを駆動するディスクモータ２１、ターンテーブル７等のディスク駆動機構と、光ディスクから信号を読み取る光ピックアップ８を搭載した光ピックアップユニット２２と、この光ピックアップユニット２２をディスク駆動機構に搭載された光ディスクの半径方向に送るピックアップ送り機構２４等から構成される。
【００１６】
ピックアップ送り機構２４には次のような歯車列装置が用いられている。この歯車列装置は、光ピックアップユニット２２にネジ止めされたラック３１と、フィードモータ３２の駆動軸３３に固定された駆動平歯車３４と、この駆動平歯車３４とラック３１とを連結する中間歯車３５からなる。
【００１７】
中間歯車３５は、ピッチ円径の異なる二つの平歯車３６、３７を有する。これらの平歯車のうち大径側の歯車（以下、大主歯車と呼ぶ。）３６は駆動平歯車３４と噛み合わされている。また、小径側の歯車（以下、小主歯車と呼ぶ。）３７は光ピックアップユニット２２に設けられたラック３１と噛み合わされている。
【００１８】
さらに、中間歯車３５は二つの補助歯車３８、３９（図２を参照）を有する。一方の補助歯車３８は大主歯車３６に対する補助歯車（以下、大補助歯車と呼ぶ。）３８であり、大主歯車３６とともに駆動平歯車３４と噛み合わされている。もう一方の補助歯車３９は小主歯車３７に対する歯車（以下、小補助歯車と呼ぶ。）３９であり、小主歯車３７とともに光ピックアップユニット２２にネジ止めされたラック３１と噛み合わされている。このように、中間歯車３５は、大主歯車３６、小主歯車３７、大補助歯車３８および小補助歯車３９の四つの歯車で構成されている。なお、大主歯車３６と大補助歯車３８とのピッチ円径、歯数、モジュールは同一であり、小主歯車３７と小補助歯車３９とのピッチ円径、歯数、モジュールも同一である。
【００１９】
大補助歯車３８と小補助歯車３９は、大補助歯車３８のキー部３８ａと小補助歯車３９のキー溝部（３９ａ）によって互いに回転方向の位置決めがなされ、かつ、これら大補助歯車３８および小補助歯車３９は大主歯車３６および小主歯車３７に対して分離して互いに一体となって回転可能である。
【００２０】
さらに、大主歯車３６と大補助歯車３８との間には圧縮バネ４０が設けられており、この圧縮バネ４０によって、大補助歯車３８および小補助歯車３９は大主歯車３６に対して円周方向に付勢され、これによって大主歯車３６と大補助歯車３８および小補助歯車３９との歯の位相にずれを設けている。
【００２１】
図３に、この大主歯車３６の歯と大補助歯車３８および小補助歯車３９の歯との位相ずれの状態を示す。
【００２２】
ここで、この中間歯車３５の圧縮バネ４０を圧縮させて前記各歯車どうしの位相をそれぞれ一致させ、そのまま大補助歯車３８および小補助歯車３９をそれぞれ駆動平歯車３４およびラック３１に噛み合わせると、圧縮バネ４０の弾性力によって、大主歯車３６の歯と大補助歯車３８の歯とで駆動平歯車３４の歯が挟持されるか、もしくは、小主歯車３７の歯と小補助歯車３９の歯とによってラック３１の歯が挟持されるので、中間歯車３５と駆動平歯車３４とのバックラッシュと、中間歯車３５とラック３１とのバックラッシュをともに除去あるいは減少させることができる。
【００２３】
以上のように本実施形態では、中間歯車３５の主歯車（大主歯車３６および小主歯車３７）に、これと分離してかつ互いに一体で回転可能な二つの補助歯車（大補助歯車３８および小補助歯車３９）を取り付け、主歯車と補助歯車との間に圧縮バネ４０を配置して歯車列装置を構成したことによって、中間歯車３５と各補助歯車（大補助歯車３８および小補助歯車３９）にそれぞれ噛み合う駆動平歯車３４およびラック３１とのバックラッシュを除去あるいは減少させることができる。この歯車列装置は、図５、図６に示した従来の歯車列装置のように、ラックに圧縮バネを設ける必要がないので、部品点数の削減を図ることができ、また設計の自由度が増して、小型で安価な製品の実現化に寄与することができる。
【００２４】
また、図４に示すように、大主歯車３６と大補助歯車３８の歯を一致させたときに、小主歯車３７の歯の位相に対して小補助歯車３９の歯の位相が、小補助歯車３９の歯がラック３１の歯を挟持する方向にずれるように中間歯車３５を構成することで、中間歯車３５を構成する各歯車間のガタや、各歯車の取り付けピッチの違いなどにより、小歯車側のバックラッシュ除去機能が働くなることを防止することができる。
【００２５】
さらに、小歯車側の歯のモジュールを大歯車側に対して同一あるいは小さくすることにより、中間歯車の組み込みの際、歯の位相が一致する位置までの大歯車側の歯の位相ずれの量を小さくすることができるため、組立作業を容易にすることができる。
【００２６】
【発明の効果】
以上説明したように本発明によれば、付勢手段の付勢力によって、大主歯車の歯と大補助歯車の歯とで駆動歯車の歯が挟持されるか、もしくは、小主歯車の歯と小補助歯車の歯とによってラックの歯が挟持されることによって、中間歯車と駆動歯車とのバックラッシュと、中間歯車とラックとのバックラッシュをともに除去あるいは減少させることができる。本発明によれば、付勢手段が一つで済み、部品点数の削減を図ることができる。これにより、設計の自由度が増して、小型で安価な製品の実現化に寄与することができる。
【００２７】
また、大主歯車の歯と大補助歯車の歯を一致させたとき、小主歯車の歯よりも小補助歯車の歯のほうがラックの歯に近い位置にくるように中間歯車が構成されていることで、中間歯車を構成する各歯車間のガタや、各歯車の取り付けピッチの違いなどにより小歯車側のバックラッシュ除去機能が働くなることを防止することができる。
【００２８】
さらに、小歯車側の歯のモジュールを大歯車側に対して同一あるいは小さくすることにより、中間歯車の組み込みの際、歯の位相が一致する位置までの大歯車側の歯の位相ずれの量を小さくすることができるため、組立作業を容易にすることができる。
【図面の簡単な説明】
【図１】図１のＣＤ−ＲＯＭドライブのピックアップ送り機構の歯車列装置の構成を示す平面図である。
【図２】図２の歯車列装置の側断面図である。
【図３】図２の歯車列装置における大主歯車の歯と大補助歯車および小補助歯車の歯との位相ずれを示す平面図である。
【図４】図１の歯車列装置における小主歯車の歯と小補助歯車の歯との位相ずれを示す図である。
【図５】従来のＣＤ−ＲＯＭドライブのピックアップ送り機構の歯車列装置の構成を示す平面図である。
【図６】図５の歯車列装置の側断面図である。
【符号の説明】
２２    光ピックアップユニット
３１    ラック
３４    駆動平歯車
３５    中間歯車
３６    大主歯車
３７    小主歯車
３８    大補助歯車
３９    小補助歯車
４０    圧縮バネ
【図１】
0003889162.tif 000002
【図２】
0003889162.tif 000003
【図３】
0003889162.tif 000004
【図４】
0003889162.tif 000005
【図５】
0003889162.tif 000006
【図６】
0003889162.tif 000007